(57)【要約】【課題】  品物入れた薄壁容器を吊り下げて展示販売する際の落下事故を防止すること。【解決手段】  身部分１、蓋部分２、これら身部分１および蓋部分２を屈曲自在に連結するヒンジ部３を一体に形成した薄壁容器であって、薄壁容器を閉じて吊り下げたときに、頂辺に当たる身部分および蓋部分の各一辺に舌片４、５をそれぞれ形成し、これらの舌片４、５は、蓋を閉じたときに、重なり合って穴を形成するとともに、上記舌片の重なり部分に嵌合凸部51および嵌合凹部41よりなるホック部を形成したものである 。【選択図】  図２
2017222380.tif 000002
【特許請求の範囲】
【請求項１】
身部分、蓋部分、該身部分および蓋部分を屈曲自在に連結するヒンジ部を一体に形成した薄壁容器であって、
該薄壁容器を閉じて吊り下げたときに、頂辺に当たる身部分および蓋部分の一辺に一対の舌片をそれぞれ形成し、
上記一対の舌片は、蓋を閉じたときに、重なり合って穴を形成するとともに、上記舌片の重なり部分に嵌合凸部および嵌合凹部よりなるホック部を形成したことを特徴とする薄壁容器。
【発明の詳細な説明】
【技術分野】
【０００１】
この発明は、生卵、茹で卵、温泉卵、燻製卵などの卵類や、果実類、青果類、雑貨物な
どを収納して、吊り下げて展示販売するために使用する合成樹脂シートを成型した包装用
の薄壁容器に関する。
【背景技術】
【０００２】
下記特許文献１に開示され、図６に示すように、従来の１つまたは少数の品物を吊り下
げて展示販売する薄壁容器は、身部分１と、蓋部分２と、これら２つの部分１、２を屈曲
自在に連結するヒンジ部３と、吊り下げるための舌片７、８とからなり、合成樹脂シート
を真空成型またはブロー成型により一体に成型したものである。
【０００３】
身部分１のフランジ11には、全周に凸条12が形成され、蓋部分２のフランジ21には、身
部分１の凸条12と嵌合する段部22が形成されている。
【０００４】
身部分１に品物を入れて蓋部分２を閉じて吊り下げたとき、頂辺に当たる身部分１および蓋部分２のフランジ11、21に連続して舌片７、８が形成されている。この舌片は、身部分１および蓋部分２を閉じたとき、重なり合って丸穴を形成するものであり、図６に示すように、一方が鈎形の舌片７であり、他方が突起の舌片８であるものが例示されている。
【０００５】
下記特許文献２には、図７（ａ）に示すように、舌片７の形状が両方とも同じで、鈎形
であるものが開示されている。身部分１および蓋部分２を閉じたとき、図７（ｂ）に示す
ように、舌片７の先端部が重なり合って横長の丸穴６を形成している。
【先行技術文献】
【特許文献】
【０００６】
【特許文献１】特許第４０３８８０１号公報
【特許文献２】特許第５１５２７８７号公報
【特許文献３】特開２００７−４５４９５号公報
【特許文献４】特開平７−３３１５５号公報
【発明の概要】
【発明が解決しようとする課題】
【０００７】
このように構成された薄壁容器に品物を入れて閉じると、身部分１の凸条12と蓋部分２
の段部22が嵌合して、不用意に開くことはない。
【０００８】
しかし、舌片は、合成樹脂シートを成型したものであるから、シートの面と平行な方向
には変形し難いが、シートの面と直交する方向には曲がり易い。
【０００９】
従って、品物入れて重くなった薄壁容器を、重なり合った舌片で形成した丸穴を利用し
て棒材に吊り下げたとき、舌片が棒材と直交している状態では安定しているが、図８の斜
視図に示すように、容器が回動して、舌片７が棒材71と斜めに交叉すると、棒材71が、重
なり合った２枚のシートを拡げて舌片に隙間を形成し、この隙間に棒材71が入って、薄壁
容器を落下させることがあった。
【００１０】
品物入れた薄壁容器を吊り下げて展示販売する際に、舌片が開いて落下する問題を解
決するために、２枚の舌片にそれぞれ丸穴をあけることも考えられる。
【００１１】
しかし、合成樹脂シートを成型する薄壁容器の製造工程には、シートを加熱して軟化さ
せて、真空成型またはブロー成型などにより容器の形状に連続的に成型する成型工程と、成型された容器の全周囲を打ち抜いて、薄壁容器を完成させる打抜工程を経ている。
【００１２】
丸穴をあけるには、成型工程および打抜工程の他に穴あけ加工が必要であり、製造コス
トが高くなるという問題があった。さらに、丸穴を打ち抜いた際に破片が飛散してゴミと
なるので、破片の処理に注意が必要であった。
【００１３】
このように吊り下げて展示販売するための薄壁容器には解決すべき課題が存在したにも
関わらず、依然として売り場の立体的な空間を有効利用するために活用したいという要望
があった。
【課題を解決するための手段】
【００１４】
この発明の薄壁容器は、身部分、蓋部分、これら身部分および蓋部分を屈曲自在に連結
するヒンジ部を一体に形成した薄壁容器であって、薄壁容器を閉じて吊り下げたときに、
頂辺に当たる身部分および蓋部分の各一辺に一対の舌片をそれぞれ形成し、上記一対の舌
片は、蓋を閉じたときに、重なり合って穴を形成するとともに、上記舌片の重なり部分に嵌合凸部および嵌合凹部よりなるホック部を形成したものである 。
【発明の効果】
【００１５】
この発明の薄壁容器によると、棒材を挿通する穴を形成する一対の舌片に、嵌合凸部お
よび嵌合凹部よりなるホック部を設けて、舌片どうしを固定するので、展示中に一対の舌
片が開いて落下することはないのである。このホック部は、薄壁容器の成型工程において
同時に成型することができ、かつ、棒材を挿通する穴あけ加工を要しないので、製造コス
トを高めることはないのである。
【図面の簡単な説明】
【００１６】
【図１】この発明の薄壁容器の第１の実施形態を示す平面図、
【図２】図１に示す容器の斜視図、
【図３】図１に示す容器に品物を入れて蓋を閉じた状態を示す斜視図、
【図４】この発明の薄壁容器の第２の実施形態を示す平面図、
【図５】図４に示す容器に品物を入れて蓋を閉じた状態を示す斜視図、
【図６】従来の薄壁容器の一例を示す斜視図、
【図７】従来の薄壁容器の他の一例を示す平面図および蓋を閉じた状態を示す正面図、
【図８】従来の薄壁容器に品物を入れて吊り下げて展示中に落下させる状況を説明するために用いる説明図である。
【発明を実施するための形態】
【００１７】
（第１の実施形態）
この発明の第１の実施形態の薄壁容器は、図１の平面図および図２の斜視図に示すよう
に、１つの卵を入れる凹部を有する身部分１および蓋部分２と、これら２つの部分１、２
を屈曲自在に連結するヒンジ部３と、吊り下げて展示販売するための鈎形の舌片４、５と
からなり、合成樹脂シートを真空成型により一体に成型したものである。
【００１８】
身部分１のフランジ11には、全周に凸条12が形成され、蓋部分２のフランジ21には、身
部分１の凸条12と嵌合する段部22が全周に形成されている。
【００１９】
身部分１に品物を入れて蓋部分２を閉じて吊り下げたとき、頂辺に当たる身部分１およ
び蓋部分２のフランジ11、21の一辺に連続して鈎形の舌片４、５が形成されている。
【００２０】
図１に示すように、左右の鈎形の舌片４、５の形状は、ほぼ同じで、フランジ11、21に
連続する角がとれた山形であって、身部分１および蓋部分２を閉じたとき、互いに重なり
合ってフランジ11、21の一部とともに丸穴６（図３参照）を形成するように鈎形の舌片４
、５が形成されている。
【００２１】
この左右の舌片４、５が重なり合って形成された丸穴６の直上に、ホック部を構成する
嵌合凹部41および嵌合凸部51がそれぞれ形成されている。
【００２２】
このホック部を構成する嵌合凹部41および嵌合凸部51として、上記特許文献３に開示さ
れているように、嵌合凸部の側面に膨出させた複数の突起と、嵌合凹部の開口の周囲に内
向きに膨出させた複数の突条とを係合させて嵌合するように構成したものを適用すること
ができる。
【００２３】
また、上記特許文献４に開示されているように、嵌合凹部の開口部を拡張する方向に押
圧するように、柱状の嵌合凸部を嵌め込んで密着させるものであって、嵌合凹部を円形ま
たは楕円形にしたとき、嵌合凸部を多角柱にしたり、嵌合凹部を多角柱にしたとき、嵌合
凸部を円形または楕円形にしたものを適用することができる。
【００２４】
このように構成された薄壁容器の身部分１に１つの卵を入れて蓋部分２を閉じると、身
部分１の凸条12と蓋部分２の段部22が嵌合して開き難くなる。
【００２５】
さらに、鈎形の舌片４、５が重なり合って丸穴６を形成し、形成された丸穴の上にある
ホック部の嵌合凹部41と嵌合凸部51を嵌合させて密着させれば、形成された丸穴６に棒材
を挿通して吊り下げても、重なっている鈎形の舌片４、５に隙間ができることはないから
、落下することはないのである。
【００２６】
なお、図示した符号52の斜線は、ホック部を開くときに、爪または指先を入れ易くする
ための折目の折線である。
【００２７】
（第２の実施形態）
以上で説明した第１の実施形態の薄壁容器においては、１つの卵を入れて縦長の姿勢で
吊り下げて展示するものであるが、この第２の実施形態においては、１つの卵を入れて横
長の姿勢での吊り下げて展示するものである。
【００２８】
以下、第１の実施形態と同一部分に同一符号を付して説明する。図４および図５に示す
ように、身部分１に品物を入れて蓋部分２を閉じて吊り下げたとき、頂辺に当たる身部分
１のフランジ11の長辺および蓋部分２のフランジ21の長辺には、フランジ11、21に連続し
て鈎形の舌片４、５が形成されている。
【００２９】
図４に示すように、両側の鈎形の舌片４、５の形状は、点対称形であって、フランジ11
、21に連続する角がとれた山形であり、身部分１および蓋部分２を閉じたとき、互いに重
なり合ってフランジ11、21の一部とともに丸穴６を形成するように鈎形の舌片４、５が形
成されている。
【００３０】
この上下の舌片４、５が重なり合って形成された丸穴６の上には、ホック部を構成する
嵌合凹部41と嵌合凸部51がそれぞれ形成されている。
【００３１】
第１の実施形態と同様に、身部分１に１つの卵を入れて蓋部分２を閉じると、身部分１
の凸条12と蓋部分２の段部22が嵌合して開き難くなり、さらに、ホック部を嵌合させて密
着させると、舌片４、５に隙間ができて落下することはないのである。
【符号の説明】
【００３２】
１  身部分
２  蓋部分
３  ヒンジ部
４、５  鈎形の舌片
６  形成された丸穴
12  凸条
22  段部
41  嵌合凹部
51  嵌合凸部
【図１】
2017222380.tif 000003
【図２】
2017222380.tif 000004
【図３】
2017222380.tif 000005
【図４】
2017222380.tif 000006
【図５】
2017222380.tif 000007
【図６】
2017222380.tif 000008
【図７】
2017222380.tif 000009
【図８】
2017222380.tif 000010